(57)【要約】【課題】ターゲットの搬送に伴って生じる気流が流体噴射ヘッドから噴射された流体に与える影響をより効果的に抑制することができる流体噴射装置を提供する。【解決手段】プリンターは、単票紙１２に対して対向距離を維持しながらインク滴を噴射する記録ヘッド１４と、単票紙１２の搬送方向Ｘにおいて、記録ヘッド１４の上流側となる位置に配置される気流分岐部材２３とを備え、気流分岐部材２３は、単票紙１２の搬送に伴って生じる気流Ｆの一部を分岐させる第１分岐部２６と、第１分岐部２６と記録ヘッド１４との間において気流Ｆ０の一部を分岐させる第２分岐部２７とを形成する。【選択図】図２
2010228215.tif 000002
【特許請求の範囲】
【請求項１】
ターゲットに対して対向距離を維持しながら流体を噴射する流体噴射ヘッドと、
前記ターゲットの搬送方向において、前記流体噴射ヘッドの上流側となる位置に配置される気流分岐部材とを備え、
該気流分岐部材は、前記ターゲットの搬送に伴って生じる気流の一部を分岐させる第１分岐部と、該第１分岐部と前記流体噴射ヘッドとの間において前記気流の一部を分岐させる第２分岐部とを形成することを特徴とする流体噴射装置。
【請求項２】
前記気流分岐部材は、前記第１分岐部が上流端となる第１流路と、前記第２分岐部が上流端となる第２流路と、前記第１流路と前記第２流路とが合流する合流部とを形成することを特徴とする請求項１に記載の流体噴射装置。
【請求項３】
前記気流分岐部材は、前記搬送方向に沿って前記第１分岐部から前記第２分岐部に向かって延びる整流流路を形成し、
該整流流路の前記第２分岐部よりも前記搬送方向における下流側となる位置には、乱流発生手段が設けられていることを特徴とする請求項１又は請求項２に記載の流体噴射装置。
【請求項４】
前記流体噴射ヘッドは前記搬送方向に沿って複数設けられ、
前記気流分岐部材は、前記流体噴射ヘッドの前記搬送方向における位置に応じて長さが異なる前記整流流路を形成することを特徴とする請求項３に記載の流体噴射装置。
【請求項５】
前記第１分岐部には、前記ターゲットを前記流体噴射ヘッド側に案内するガイド部が設けられ、
該ガイド部は、前記気流の流下を許容可能な通風部を有することを特徴とする請求項１〜請求項４のうち何れか一項に記載の流体噴射装置。
【発明の詳細な説明】
【技術分野】
【０００１】
本発明は、ターゲットに対して対向距離を維持しながら流体を噴射する流体噴射ヘッドを備えた流体噴射装置に関する。
【背景技術】
【０００２】
流体噴射装置として、ターゲットに対して対向距離を維持しつつ相対移動しながらインク（流体）を噴射することにより印刷を施すインクジェット式プリンターが知られている（例えば、特許文献１）。こうしたプリンターにおいては、ターゲットと記録ヘッドとの相対移動に伴って生じる気流が記録ヘッドとターゲットとの間に形成される隙間に流入することで、噴射されたインク滴の着弾位置にずれが生じ、印刷品質が低下してしまうという問題があった。そのため、特許文献１のプリンターにおいては、記録ヘッドの側面に傾斜面を有した突起物を設け、これにより相対移動に伴って生じた気流の一部を傾斜面側に分岐させることで、気流による影響を抑制するようにしていた。
【先行技術文献】
【特許文献】
【０００３】
【特許文献１】特開平１１−１００１号公報
【発明の概要】
【発明が解決しようとする課題】
【０００４】
しかし、特許文献１のプリンターのように、記録ヘッドの側面に設けた突起物で気流を分岐させるだけでは、十分に気流の影響を抑制することができなかった。
本発明は、このような事情に鑑みてなされたものであり、その目的は、ターゲットの搬送に伴って生じる気流が流体噴射ヘッドから噴射された流体に与える影響をより効果的に抑制することができる流体噴射装置を提供することにある。
【課題を解決するための手段】
【０００５】
上記目的を達成するために、本発明の流体噴射装置は、ターゲットに対して対向距離を維持しながら流体を噴射する流体噴射ヘッドと、前記ターゲットの搬送方向において、前記流体噴射ヘッドの上流側となる位置に配置される気流分岐部材とを備え、該気流分岐部材は、前記ターゲットの搬送に伴って生じる気流の一部を分岐させる第１分岐部と、該第１分岐部と前記流体噴射ヘッドとの間において前記気流の一部を分岐させる第２分岐部とを形成する。
【０００６】
この構成によれば、ターゲットの搬送に伴って生じる気流の一部を第１分岐部で分岐させた後、分岐の結果残った気流のうちの一部をさらに流体噴射ヘッドの上流側に位置する第２分岐部で分岐させることができる。したがって、ターゲットの搬送に伴って生じる気流が流体噴射ヘッドから噴射された流体に与える影響をより効果的に抑制することができる。
【０００７】
本発明の流体噴射装置において、前記気流分岐部材は、前記第１分岐部が上流端となる第１流路と、前記第２分岐部が上流端となる第２流路と、前記第１流路と前記第２流路とが合流する合流部とを形成する。
【０００８】
この構成によれば、合流部では第１流路と第２流路が合流するので、合流部付近は第２流路よりも流速が増して低圧となる。これにより、第２流路から合流部側に向かう流れが加速されるので、第２分岐部において効果的に気流を分岐させることができる。
【０００９】
本発明の流体噴射装置において、前記気流分岐部材は、前記搬送方向に沿って前記第１分岐部から前記第２分岐部に向かって延びる整流流路を形成し、該整流流路の前記第２分岐部よりも前記搬送方向における下流側となる位置には、乱流発生手段が設けられている。
【００１０】
この構成によれば、乱流発生手段が存在することによって、整流流路を層流となって流れてきた気流が乱されて乱流が発生する。この乱流が抵抗となることで、気流がターゲットと流体噴射ヘッドとの間に形成される隙間に流入することが抑制されるとともに、第２分岐部における気流の分岐が促進される。
【００１１】
本発明の流体噴射装置において、前記流体噴射ヘッドは前記搬送方向に沿って複数設けられ、前記気流分岐部材は、前記流体噴射ヘッドの前記搬送方向における位置に応じて長さが異なる前記整流流路を形成する。
【００１２】
この構成によれば、各流体噴射ヘッドに近接する位置まで気流分岐部材が延設されることにより、全ての流体噴射ヘッドに対して気流分岐部材の効果を及ぼすことができる。
本発明の流体噴射装置において、前記第１分岐部には、前記ターゲットを前記流体噴射ヘッド側に案内するガイド部が設けられ、該ガイド部は、前記気流の流下を許容可能な通風部を有する。
【００１３】
この構成によれば、ターゲットが気流分岐部材と干渉した場合にも、第１分岐部に設けられたガイド部でターゲットをスムーズに流体噴射ヘッド側に案内することができる。また、ガイド部は通風部を有するので、気流の流下を阻害することがない。
【図面の簡単な説明】
【００１４】
【図１】第１実施形態におけるインクジェット式プリンターの概略正面図。
【図２】第１実施形態における気流分岐部材の構成及び作用を説明するための正面図。
【図３】図２の斜視図。
【図４】図２の一部拡大図であって、乱流発生手段の構成を示す正面図。
【図５】図２の一部拡大図であって、乱流発生手段の構成を示す正面図。
【図６】第２実施形態における気流分岐部材の構成を説明するための正面図。
【図７】図６に示す気流分岐部材の底面図。
【発明を実施するための形態】
【００１５】
（第１実施形態）
はじめに、本発明の流体噴射装置をラインヘッド方式のインクジェット式プリンター（以下、「プリンター」という）に具体化した第１実施形態を図１〜図５に基づいて説明する。なお、以下の説明において、「前後方向」、「左右方向」、「上下方向」をいう場合は、各図中に矢印で示した方向を基準として示すものとする。
【００１６】
図１に示すように、プリンター１１は、図示しない本体フレーム内に、ターゲットとしての単票紙１２を搬送方向Ｘ（本実施形態においては左方向）に搬送するための搬送ユニット１３と、流体としてのインクを噴射可能な記録ヘッド１４と、矩形板状のプラテン１５とを備えている。
【００１７】
記録ヘッド１４は、搬送ユニット１３及びプラテン１５の上方に固定された状態で配置されている。そして、記録ヘッド１４の下面からなるノズル形成面１４ａには、インクを噴射可能なノズル開口１４ｂが前後方向に沿って複数設けられることで、ノズル列が形成されている。なお、ノズル列は少なくともインクの色毎に設けられているので、ノズル形成面１４ａには左右方向に並ぶ複数のノズル列が形成されている。
【００１８】
搬送ユニット１３は、プラテン１５の右方に配置された駆動ローラー１６と、該駆動ローラー１６の駆動源である駆動モーター１７と、プラテン１５の左方に配置された従動ローラー１８と、プラテン１５の下方に配置されたテンションローラー１９とを備えている。前後方向に延びる駆動ローラー１６、従動ローラー１８、及びテンションローラー１９には、プラテン１５を囲むように、多数の貫通孔を有する無端状の搬送ベルト２０が巻き回されている。また、テンションローラー１９が図示しない付勢部材によって下側に向かって付勢されることにより、搬送ベルト２０の張設状態が保持されている。
【００１９】
そして、駆動モーター１７の駆動に伴って駆動ローラー１６が前側から見て反時計回りとなる方向に回転駆動されることで、搬送ベルト２０が駆動ローラー１６、従動ローラー１８及びテンションローラー１９の外側を図１に矢印で示す方向に周回移動するようになっている。
【００２０】
また、プラテン１５の上面には多数の吸引孔（図示略）が形成されているとともに、プラテン１５内には図示しない吸引手段が内蔵されている。そして、単票紙１２がプラテン１５上に載置された場合には、吸引手段によって搬送ベルト２０越しにプラテン１５側に吸引されることで、プラテン１５上に保持されるようになっている。
【００２１】
駆動ローラー１６よりも搬送方向上流側となる右方には、印刷に供される単票紙１２を１枚ずつ搬送ベルト２０上に給紙するための給紙ローラー対２１が設けられている。一方、従動ローラー１８よりも搬送方向下流側となる左方には、印刷処理が施された単票紙１２を１枚ずつ搬送ベルト２０上から本体フレーム外へ排紙するための排紙ローラー対２２が設けられている。
【００２２】
したがって、単票紙１２は給紙ローラー対２１によって搬送方向上流側となる右方から供給され、プラテン１５上を搬送ベルト２０によって左方向に搬送されつつその上面側に印刷処理が施されるようになっている。そして、印刷処理が施された単票紙１２は、搬送ベルト２０によって搬送方向下流側となる左方向に搬送されて、排紙ローラー対２２によって本体フレーム外へ排出されるようになっている。
【００２３】
なお、搬送ユニット１３の左方には、ノズル形成面１４ａを保護するためのキャップ等を備えたメンテナンスユニット（図示略）が備えられている。そして、記録ヘッド１４は印刷処理時には固定された状態となっているが、例えば電源オフ時などには、メンテナンスユニットのある位置まで移動するようになっている。
【００２４】
ところで、印刷処理は記録ヘッド１４が単票紙１２に対して上下方向に対向距離を維持しながら行われるので、単票紙１２の搬送に伴って、搬送方向Ｘが流れ方向となる空気流が生じる。そして、印刷処理はインク滴を噴射して行うので、こうした気流が印刷処理時にノズル形成面１４ａと単票紙１２との間に形成される隙間Ｓに流入すると、噴射されたインク滴の着弾位置にずれが生じ、印刷品質が低下してしまう虞がある。
【００２５】
そのため、プリンター１１には、こうした気流の影響を抑制するために、搬送方向Ｘにおいて記録ヘッド１４の上流側となる位置に、隙間Ｓへの気流の流入を抑制するための気流分岐部材２３が配設されている。なお、気流分岐部材２３は、図示しない支持部材によって本体フレームに固定された状態で支持されているが、本実施形態のメンテナンスユニットは搬送方向Ｘにおいて記録ヘッド１４の下流側となる左方に設けられているので、記録ヘッド１４の移動の妨げにはならない。
【００２６】
次に、気流分岐部材２３の構成及び作用について説明する。
図２及び図３に示すように、気流分岐部材２３の搬送方向Ｘにおける上流端となる右端には、単票紙１２を記録ヘッド１４側に案内するためのガイド部２４が設けられている。ガイド部２４は、搬送される単票紙１２の先端側が例えば風圧などによって搬送ベルト２０から離間するようにめくれてしまった場合などに、先端側を記録ヘッド１４のノズル形成面１４ａ側に案内するために、先端側が右斜め上方向に傾斜するように湾曲した状態で配置されている。また、ガイド部２４は、単票紙１２の搬送に伴って生じる気流Ｆの流下を許容可能な通風部２５（図３参照）を有している。
【００２７】
気流分岐部材２３は、ガイド部２４を除く本体部分が、側面視直角三角形状の底面を有して前後方向に延びる円柱形状をなしている。そして、ガイド部２４の基端側が接続された、直角三角形の直角でない一方の角部分が第１分岐部２６を、第１分岐部２６の左方に位置する直角三角形の直角部分が第２分岐部２７を、第２分岐部２７の上方に位置する直角三角形の直角でない他方の角部分が合流部２８を形成している。
【００２８】
また、気流分岐部材２３は、第１分岐部２６が上流端となる第１流路２９と、第２分岐部２７が上流端となる第２流路３０と、搬送方向Ｘに沿って第１分岐部２６から第２分岐部２７に向かって延びる平坦面である整流流路３１とを形成している。したがって、合流部２８は、第１流路２９と第２流路３０とが合流する位置に形成されている。
【００２９】
単票紙１２の搬送に伴って生じる気流Ｆは、気流分岐部材２３の第１分岐部２６において、その一部が第１分岐気流Ｆ１として第１流路２９の方へ分岐される。一方、第１分岐部２６から整流流路３１の方に流入した気流Ｆ０は、搬送方向Ｘに延びる整流流路３１によって流れ方向が一方向に規定されるので、層流となって流れる。
【００３０】
気流Ｆ０は、第２分岐部２７においてその一部がさらに第２分岐気流Ｆ２として上方向に延びる第２流路３０の方へ分岐される。すなわち、気流Ｆは、その一部が第１分岐気流Ｆ１及び第２分岐気流Ｆ２として分岐されることにより、風量が減じられる。
【００３１】
本実施形態において、第１流路２９は整流流路３１と鋭角をなして左斜め上方向に延びるように形成されている一方、第２流路３０は整流流路３１と直交して上方向に延びるように形成されている。すなわち、気流分岐部材２３は、ノズル形成面１４ａと平行をなすことで気流Ｆの本流路となる整流流路３１と、上流側が整流流路３１と異なる角度で交差するとともに、下流側が互いに合流する複数の分岐流路である第１流路２９及び第２流路３０を形成している。
【００３２】
なお、第１流路２９及び第２流路３０は、流速を保持して効率的に気流Ｆを分岐させるために平坦面である方が望ましく、また、整流流路３１との交差角度が小さい方が望ましい。ただし、下流側に位置する第２分岐部２７は、ノズル形成面１４ａに近接している方が好ましいので、本実施形態では第２分岐部２７から延びる第２流路３０は整流流路３１と直交する態様となっている。
【００３３】
また、第２流路３０は気流分岐部材２３の搬送方向Ｘにおける下流側の側面である左面と、記録ヘッド１４の搬送方向Ｘにおける上流側の面である側面１４ｃとの間に形成されているので、第２分岐部２７はノズル形成面１４ａにより近接した位置に配置されるようになっている。なお、記録ヘッド１４が支持部材等を介して本体フレームに保持されている場合には、その支持部材の側面と気流分岐部材２３との間に第２流路３０が形成されるようにしてもよい。
【００３４】
ここで、気流分岐部材２３の記録ヘッド１４に対する離間距離を、気流分岐部材２３の単票紙１２に対する離間距離と同等以上とすることにより、整流流路３１はより流路断面積の広い第２流路３０と交差する態様となる。これにより、流路の上面が開放された気流Ｆ０の流速を低下させて、隙間Ｓへの流入を抑制する効果を得ることができる。
【００３５】
第２流路３０を流れる第２分岐気流Ｆ２は、合流部２８において第１分岐気流Ｆ１と合流し、合流気流Ｆ３として記録ヘッド１４の側面１４ｃに沿って上方向に流れる。なお、気流分岐部材２３の上端位置と記録ヘッド１４の上端位置とを一致させるようにして、合流気流Ｆ３が記録ヘッド１４の上端面に沿って下流側に流れるようにしてもよい。
【００３６】
ここで、気流分岐部材２３は記録ヘッド１４から搬送方向Ｘの上流側に向かって突設される態様となっている。そのため、上流側で分岐される第１分岐気流Ｆ１の方が、下流で分岐される第２分岐気流Ｆ２よりも搬送方向Ｘに対する交差角度が小さい分、流速が速い。したがって、流速の遅い第２流路３０よりも流速の速い合流部２８付近の方が低圧となり、この圧力差によって第２流路３０から合流部２８側に向かう流れが加速される。これにより、搬送方向Ｘに沿って整流流路３１を流れる気流Ｆ０を、第２分岐部において効果的に第２流路３０側に分岐させることができる。
【００３７】
また、整流流路３１の第２分岐部２７よりも搬送方向Ｘにおける下流側であって、ノズル形成面１４ａの搬送方向Ｘにおける上流側となる位置には、乱流発生手段３２が設けられている。図４及び図５に示すように、ノズル形成面１４ａの右端側に設けられた乱流発生手段３２は、乱流を発生させるための凹凸部からなる。
【００３８】
この凹凸部は、例えば図４に示すように、基準面３３に対して複数の突起部３４を設けることでも実現することができるし、図５に示すように基準面３３に対して複数の凹部３５を設けることでも実現することができる。
【００３９】
そして、このような乱流発生手段３２が存在することによって、気流Ｆ０の流れが乱されて、ノズル開口１４ｂの上流側に乱流Ｆｄが発生する。この乱流Ｆｄが抵抗となることで、気流Ｆ０の隙間Ｓへの流入が抑制されるとともに、第２分岐部２７における気流Ｆ０の分岐がさらに促進される。
【００４０】
以上説明した第１実施形態によれば、以下のような効果を得ることができる。
（１）単票紙１２の搬送に伴って生じる気流Ｆの一部を第１分岐部２６で分岐させた後、分岐の結果残った気流Ｆ０のうちの一部をさらに記録ヘッド１４の上流側に位置する第２分岐部２７で分岐させることができる。したがって、単票紙１２の搬送に伴って生じる気流Ｆが記録ヘッド１４から噴射されたインク滴に与える影響をより効果的に抑制することができる。
【００４１】
（２）合流部２８では第１流路２９と第２流路３０が合流するので、合流部２８付近は第２流路３０よりも流速が増して低圧となる。これにより、第２流路３０から合流部２８側に向かう流れが加速されるので、第２分岐部２７において効果的に気流を分岐させることができる。
【００４２】
（３）乱流発生手段３２が存在することによって、整流流路３１を層流となって流れてきた気流Ｆ０が乱されて乱流Ｆｄが発生する。この乱流Ｆｄが抵抗となることで、気流Ｆ０が単票紙１２と記録ヘッド１４との間に形成される隙間Ｓに流入することが抑制されるとともに、第２分岐部２７における第２分岐気流Ｆ２の分岐が促進される。
【００４３】
（４）単票紙１２が気流分岐部材２３と干渉した場合にも、第１分岐部２６に設けられたガイド部２４で単票紙１２をスムーズに記録ヘッド１４側に案内することができる。また、ガイド部２４は通風部２５を有するので、気流Ｆの流下を阻害することがない。
（第２実施形態）
次に、本発明の流体噴射装置を同じくラインヘッド方式のインクジェット式プリンターに具体化した第２実施形態を図６及び図７に基づいて説明する。
【００４４】
図６に示すように、本実施形態の記録ヘッド１４Ａには係止部３６が設けられているとともに、本体フレームに支持された支持部材３７に係止部３６を介して保持されている。記録ヘッド１４Ａは搬送方向Ｘに沿って複数設けられているとともに、図７に示すように、各記録ヘッド１４Ａは単票紙１２の幅方向となる前後方向に沿って複数並ぶ記録ヘッド列を形成している。
【００４５】
図６に示すように、本実施形態の気流分岐部材２３Ａに設けられたガイド部２４Ａは、先端側が右斜め上方向に直線状に延びるように形成されている。なお、図６に示すように気流分岐部材２３Ａが第１分岐部２６、第２分岐部２７、合流部２８、第１流路２９、第２流路３０及び整流流路３１を形成している点や、図７に示すようにガイド部２４Ａに通風部２５が形成されている点は、第１実施形態と同様である。
【００４６】
ただし、気流分岐部材２３Ａは、搬送方向Ｘにおける各記録ヘッド１４Ａの位置に応じて長さが異なる整流流路３１を形成している点と、乱流発生手段３２を備えていない点とが第１実施形態とは異なる。すなわち、本実施形態では、搬送方向Ｘにおける位置が異なる複数の記録ヘッド１４Ａが設けられているが、各記録ヘッド１４Ａに近接する位置まで気流分岐部材２３Ａが延設されているため、全ての記録ヘッド１４Ａに対して気流分岐部材２３Ａの効果を及ぼすことができる。
【００４７】
なお、合流部２８と支持部材３７との離間距離を上下方向に十分に確保することができない場合には、支持部材３７の第２流路３０の上方にあたる位置に貫通孔を形成することで、合流気流Ｆ３を支持部材３７の上方に導いて流速の低下を抑制することができる。
【００４８】
以上説明した第２実施形態によれば、上記（１）〜（４）の効果に加えて、以下のような効果を得ることができる。
（５）各記録ヘッド１４に近接する位置まで気流分岐部材２３が延設されることにより、全ての記録ヘッド１４に対して気流分岐部材２３の効果を及ぼすことができる。
【００４９】
なお、上記各実施形態は以下のような別の実施形態に変更してもよい。
・気流分岐部材２３，２３Ａが第２流路３０及び合流部２８を形成しない態様とすることもできる。例えば、第１流路２９を形成する傾斜面と、整流流路３１を形成するノズル形成面１４ａと平行をなす平面とが第１分岐部２６で鋭角をなして交差する側面視略Ｖ字形状の気流分岐部材としてもよい。
【００５０】
・第２実施形態において乱流発生手段３２を備えるようにしてもよいし、第１実施形態において乱流発生手段３２を備えないようにしてもよい。
・第２実施形態において、搬送方向Ｘに沿って並ぶ記録ヘッド１４Ａの間に単票紙１２を搬送するための搬送用ローラーを設けてもよい。この場合には、搬送用ローラーを配置するために搬送方向Ｘに並ぶ各記録ヘッド１４Ａの間隔が広くする必要があるが、気流分岐部材２３Ａによれば、全ての記録ヘッド１４Ａに対して本発明の効果を及ぼすことができる。
【００５１】
・第２実施形態においては、全ての記録ヘッド１４Ａをカバーできる大型の気流分岐部材２３Ａを１つ設けているが、記録ヘッド１４毎に小型の気流分岐部材２３を備えるようにしてもよい。
【００５２】
・ガイド部２４，２４Ａに設けられた通風部２５の形状は矩形状に限らず、例えば格子状や短冊状、メッシュ状など、任意の形状とすることができる。
・ガイド部２４，２４Ａとして櫛歯状をなす複数の突起を備えるようにしてもよい。この場合には、通風部２５を設ける必要はない。
【００５３】
・吸引装置等によって単票紙１２のめくれを十分に防止することができる場合などには、ガイド部２４を備えない構成とすることもできる。
・第２流路３０を整流流路３１と鋭角又は鈍角をなす傾斜路として形成してもよい。
【００５４】
・第１分岐部２６と第２分岐部２７との間に、さらに１つ又は複数の気流分岐部を設けるようにしてもよい。
・ターゲットは矩形状にカットされた単票紙１２に限らず、長尺状の連続紙など、任意の形状とすることができる。また、布、プラスチックフィルム、薄板など、任意の素材に適応することができる。
【００５５】
・乱流発生手段３２の突起部３４や凹部３５は、円筒形状や多角柱形状、半円形状、楕円柱状など、任意の形状を採用することができる。あるいは、ブラシのように基準面を構成する基布から複数の毛羽が下方に向けて立設されたような構成とすることもできるし、これらを組み合わせた構成とすることもできる。
【００５６】
・乱流発生手段３２の基準面３３はノズル形成面１４ａと面一であってもよい。
・乱流発生手段３２の突起部３４や凹部３５は、前後方向及び左右方向に沿って等間隔で規則的に配置してもよいし、千鳥配置としてもよいし、ランダムに配置してもよい。
【００５７】
・別部材としての乱流発生手段３２を記録ヘッド１４に取り付けるようにしてもよいし、記録ヘッド１４に突起部３４や凹部３５を一体形成するようにしてもよい。
・上記実施形態では、流体噴射装置をインクジェット式プリンターに具体化したが、インク以外の他の液体を噴射したり吐出したりする液体噴射装置を採用してもよく、微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状態、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうち何れか一種の噴射装置に本発明を適用することができる。
【００５８】
上記各実施形態及び変形例から把握できる技術的思想について以下に追記する。
（イ）ターゲットに対して対向距離を維持しつつ相対移動しながら流体を噴射する流体噴射ヘッドと、
前記相対移動に伴って生じる気流の流れ方向において、前記流体噴射ヘッドの上流側となる位置に配置される気流分岐部材とを備え、
該気流分岐部材は、前記流れ方向に延びる本流路と、上流側が前記本流路と交差する複数の分岐流路とを形成することを特徴とする流体噴射装置。
【００５９】
この構成によれば、相対移動に伴って生じる気流の一部を本流路から複数の分岐流路へと分岐させることができるので、ターゲットと流体噴射ヘッドとの相対移動に伴って生じる気流が流体噴射ヘッドから噴射された流体に与える影響をより効果的に抑制することができる。
【００６０】
（ロ）前記気流分岐部材は、前記複数の分岐流路のうち少なくとも２つの分岐流路の下流側が合流する合流部を形成することを特徴とする上記（イ）に記載の流体噴射装置。
この構成によれば、合流部では合流前の分岐流路よりも流速が増して低圧となるので、分岐流路から合流部側に向かう流れを加速させて、効果的に気流を分岐させることができる。
【００６１】
（ハ）ターゲットに対して対向距離を維持しつつ相対移動しながら流体を噴射する流体噴射ヘッドと、
前記相対移動に伴って生じる気流の流れ方向において、前記流体噴射ヘッドの上流側となる位置に配置される気流分岐部材とを備え、
該気流分岐部材は、前記気流の一部を分岐させる複数の分岐部を形成することを特徴とする流体噴射装置。
【００６２】
この構成によれば、相対移動に伴って生じる気流の一部を複数の分岐部で分岐させることができる。したがって、ターゲットと流体噴射ヘッドとの相対移動に伴って生じる気流が流体噴射ヘッドから噴射された流体に与える影響をより効果的に抑制することができる。
【００６３】
（ニ）ターゲットに対して対向距離を維持しつつ相対移動しながら流体を噴射する流体噴射ヘッドと、
前記相対移動に伴って生じる気流の流れ方向において、前記流体噴射ヘッドの上流側となる位置に配置され、前記流れ方向に沿って延びる整流流路を形成する流路形成部材とを備え、
前記流体噴射ヘッドは前記相対移動方向に沿って複数設けられ、前記流路形成部材は、前記流体噴射ヘッドの前記相対移動方向における位置に応じて長さが異なる前記整流流路を形成することを特徴とする流体噴射装置。
【００６４】
この構成によれば、流路形成部材（気流分岐部材）が形成する整流流路は流れ方向に沿って延びるので、気流を層流とすることができる。これにより、ターゲットと流体噴射ヘッドとの間に形成される隙間に気流が乱流となって流入することが抑制されるので、ターゲットと流体噴射ヘッドとの相対移動に伴って生じる気流が流体噴射ヘッドから噴射された流体に与える影響をより効果的に抑制することができる。そして、各流体噴射ヘッドに近接する位置まで整流流路が延設されることにより、全ての流体噴射ヘッドに対して流路形成部材の効果を及ぼすことができる。
【符号の説明】
【００６５】
１１…流体噴射装置としてのプリンター、１２…ターゲットとしての単票紙、１４，１４Ａ…流体噴射ヘッドとしての記録ヘッド、２３，２３Ａ…気流分岐部材、２４，２４Ａ…ガイド部、２５…通風部、２６…第１分岐部、２７…第２分岐部、２８…合流部、２９…第１流路、３０…第２流路、３１…整流流路、３２…乱流発生手段、Ｆ，Ｆ０…気流、Ｘ…搬送方向。
【図１】
2010228215.tif 000003
【図２】
2010228215.tif 000004
【図３】
2010228215.tif 000005
【図４】
2010228215.tif 000006
【図５】
2010228215.tif 000007
【図６】
2010228215.tif 000008
【図７】
2010228215.tif 000009